(57)【特許請求の範囲】
【請求項１】
外刃を備えた刃ユニットと、上記刃ユニットをばね付勢に抗して沈み込み自在として上記刃ユニットのフロート支持を行う刃フレームと、上記外刃に摺接する内刃と、上記内刃を外刃に向けて付勢する押上ばねと、上記内刃の駆動源を内蔵する本体とからなり、上記刃ユニットは上記押上ばねによって上記内刃を介して上記本体に対しばね付勢されており、上記刃フレームは上記本体に対して上記刃ユニットのフロート方向である上下方向位置が可変となっていることを特徴とする電気かみそり。
【請求項２】
内刃の往復駆動用の駆動杆と内刃との間に内刃を外刃内面に向けて付勢する上記押上ばねが取り付けられていることを特徴とする請求項１記載の電気かみそり。
【請求項３】
本体との着脱用係合部を備えて本体に対して着脱自在となっている連結枠を備えており、刃フレームは該連結枠にて上下位置可変に保持されていることを特徴とする請求項１記載の電気かみそり。
【請求項４】
フォイル状の外刃を枠状の内カセットに張設して刃ユニットを構成し、該刃ユニットを枠状の刃フレームにフロート可能に支持し、該刃フレームを本体に着脱自在な連結枠に上下位置可変に取り付けていることを特徴とする請求項３記載の電気かみそり。
【請求項５】
連結枠は刃フレームの上下位置可変の範囲内で刃フレームの全周を覆うリング状であり、該連結枠の内周側に刃フレームを上下位置可変に取り付けていることを特徴とする請求項３または４記載の電気かみそり。
【請求項６】
刃フレームはそのフロート範囲の下端に位置する時、本体に設けた固定部の外面に刃フレームの内面が接しており、フロート範囲の上端に位置する時、連結枠の内面に刃フレームの外面が接していることを特徴とする請求項５記載の電気かみそり。
【請求項７】
刃フレームの上下位置変更用の操作子を連結枠に設けていることを特徴とする請求項３または４記載の電気かみそり。
【請求項８】
操作子は刃フレームの上下移動方向と直交する方向にスライド自在なものとして連結枠に設けられているとともに、刃フレームに勾配を有するものとして形成したガイド溝にスライド係合するボスを備えていることを特徴とする請求項７記載の電気かみそり。
【請求項９】
操作子の移動量が刃フレームの上下移動量より大であることを特徴とする請求項７記載の電気かみそり。
【請求項１０】
操作子は弾性片によるクリック部を備えており、操作子の移動に際してクリックを発生させる上記クリック部は刃フレームを下げる時のクリック荷重を刃フレームを上げる時のクリック荷重よりも小さくしていることを特徴とする請求項７記載の電気かみそり。
【請求項１１】
連結枠の一面に設けた操作子から突設されたボスと係合して操作子の操作に応じて刃フレームを上下動させる刃フレーム側の被係合部が、刃フレームにおける連結枠の操作子が配された面側の部分と、他方側の部分とに設けられていることを特徴とする請求項７記載の電気かみそり。
【請求項１２】
刃ユニットの保護用の保護キャップを備えるとともに、該保護キャップを着脱自在に保持する保持部が上下動する刃フレームに設けられていることを特徴とする請求項１記載の電気かみそり。
【請求項１３】
刃フレームの外周側面と連結枠の内周壁とに刃フレームのフロート方向においてお互いが嵌合摺動するフロートガイドを設けていることを特徴とする請求項５記載の電気かみそり。
【請求項１４】
刃フレームは連結枠からの抜け止め用のストッパーを備えていることを特徴とする請求項３記載の電気かみそり。
【請求項１５】
ストッパーには刃フレームを適正な位置に係止する突起と凹部とを設けていることを特徴とする請求項１４記載の電気かみそり。
【請求項１６】
刃フレームは連結枠より柔軟な材料で形成されていることを特徴とする請求項３記載の電気かみそり。
【請求項１７】
トリマユニットを備えるとともに、トリマユニットへの駆動力伝達用の駆動杆は、本体内の駆動源で駆動される駆動子への取付部とトリマユニットとの連結部との中間部に刃フレームを避ける逃げ穴を備えていることを特徴とする請求項１記載の電気かみそり。
【請求項１８】
刃ユニットがフロート自在に組み込まれた刃フレームに、本体に対する着脱用の係合部を設けるとともに、刃フレームの係合部との係合用の本体側の係止部を本体上部に上下位置可変に設けていることを特徴とする請求項１記載の電気かみそり。
【請求項１９】
内刃の往復駆動用の駆動杆に、内刃が外刃内面に向けて押上ばねにて付勢されて取り付けられていることを特徴とする請求項１８記載の電気かみそり。
【請求項２０】
フォイル状の外刃を枠状の内カセットに張設して刃ユニットを構成し、該刃ユニットを枠状の刃フレームにフロート可能に支持し、該刃フレームを本体の上下位置可変の係止部に着脱自在に取り付けていることを特徴とする請求項１８記載の電気かみそり。
【請求項２１】
係合部は刃フレームの少なくとも両端２カ所に設けられており、本体側の上記各係合部に夫々係合する複数の係止部が本体に対して一体に上下位置可変に設けられていることを特徴とする請求項１８または２０記載の電気かみそり。
【請求項２２】
刃フレームは本体上端に配した刃取付台によって上下動自在に保持されており、上記刃取付台は左右両端に突起部を備えるとともに各突起部の前後方向中央付近に縦方向の切り欠きを備えており、刃フレームは切り欠きと嵌合して突起部で上下動ガイドされる突部を備えていることを特徴とする請求項１８記載の電気かみそり。
【請求項２３】
刃フレームと刃取付台とは刃フレームの上下位置変更範囲内において全周でオーバーラップしていることを特徴とする請求項２２記載の電気かみそり。
【請求項２４】
刃取付台はその上面側に略枠状の壁を立設しており、枠状の刃フレームが壁の内側に位置していることを特徴とする請求項２３記載の電気かみそり。
【請求項２５】
トリマユニットを備えるとともに、トリマユニットへの駆動力伝達用のトリマ駆動杆は薄肉の縦壁を備えており、刃フレームに設けた切り欠きに対して上記縦壁は刃フレームの上下移動範囲とトリマ駆動杆の左右移動範囲においてオーバーラップしていることを特徴とする請求項２２記載の電気かみそり。
【請求項２６】
本体上端が刃フレームを保持する刃取付台で閉じられているとともに刃取付台を通じて刃駆動用の駆動子を上方に突出させており、本体内に上下移動可能に設けた切換板の両端に突設した係止部を刃取付台より外側に突出させて該係止部に刃フレームを取り付けていることを特徴とする請求項１８記載の電気かみそり。
【請求項２７】
切換板は本体の外面に設けた操作釦に連結されて該操作釦の操作により上下移動を行うものであることを特徴とする請求項２６記載の電気かみそり。
【請求項２８】
本体は防水構造となっており、係止部は防水構造部の外部に設けられていることを特徴とする請求項２６記載の電気かみそり。
【請求項２９】
刃取付台の両端に設けた穴を通じて切換板の係止部を上方に突出させているとともに穴と係止部との間に防水シールを設けていることを特徴とする請求項２８記載の電気かみそり。
【請求項３０】
本体は水平断面が略コ字形の切換板を上下移動自在に備えており、上下移動する左右の係止部は該切換板に一体に形成していることを特徴とする請求項２１記載の電気かみそり。
【請求項３１】
切換板は刃取付台の外周面と本体の上端部外周壁の内面との間に配設されて係止部のみを刃取付台の上面から突出させていることを特徴とする請求項２６記載の電気かみそり。
【請求項３２】
刃取付台は筒体であって、筒状の本体の上端に挿入される刃取付台の下部外周面と本体ハウジングの上端部外周壁の内面との間の隙間に切換板が上下移動自在に配設されていることを特徴とする請求項２６記載の電気かみそり。
【請求項３３】
切換板の係止部の周囲を覆うゴム状の弾性体を備えていることを特徴とする請求項３１記載の電気かみそり。
【請求項３４】
切換板の係止部は刃取付台の突起部に隣接する位置に配されていることを特徴とする請求項２６または３１記載の電気かみそり。
【請求項３５】
係止部は刃取付台の突起部に形成した切り欠き部分に位置しており、刃フレームは上記切り欠きに係合する突部に上記係止部に係止する係合フックを備えていることを特徴とする請求項３４記載の電気かみそり。
【請求項３６】
切換板はその正面部に切換板の上下駆動部材との連係部を備えていることを特徴とする請求項３０記載の電気かみそり。
【請求項３７】
切換板はその正面部にラック部材を備えており、刃取付台にはラック部材と噛合してその回転で切換板を上下動させるギアが回転自在に取り付けられていることを特徴とする請求項３６記載の電気かみそり。
【請求項３８】
ギアは操作釦の回転をラック部材に伝える減速ギアであるとともに大径部と小径部とが同じ厚み内にある部分ギアであることを特徴とする請求項３７記載の電気かみそり。
【請求項３９】
操作釦は本体の外側に位置する操作部と本体の内側に位置するギア部で形成されていることを特徴とする請求項３７または３８記載の電気かみそり。
【請求項４０】
操作釦に設けた凹部に係合してクリックを発生するクリックばねを設けていることを特徴とする請求項３９記載の電気かみそり。
【請求項４１】
操作釦のギアと係合してクリックを発生するクリックばねを設けていることを特徴とする請求項３９記載の電気かみそり。
【請求項４２】
操作釦の回転のロック用のロック機構を設けていることを特徴とする請求項３９記載の電気かみそり。
【請求項４３】
操作部は本体内に配設してその一部を本体側面に設けた穴から露出させていることを特徴とする請求項３７記載の電気かみそり。
【請求項４４】
切換板の正面部に設けた突起片の上端を刃取付台の上面より上方に突出させて刃フレームの下端面に当接させていることを特徴とする請求項３０記載の電気かみそり。
【請求項４５】
ギアの一部に突起部を設けて、該突起部と係合するスライド釦を上下駆動部材である操作部としていることを特徴とする請求項３７記載の電気かみそり。
【請求項４６】
切換板の正面部にガイド溝を形成して、該ガイド溝と係合する突起部を備えたスライド釦を上下駆動部材である操作部としていることを特徴とする請求項３６記載の電気かみそり。
【請求項４７】
切換板の正面部に中央部が刃フレームにて軸支されたリンクの一端を連結し、リンクの他端を上下駆動部材であるスライド釦としての操作部に連結していることを特徴とする請求項３６記載の電気かみそり。
【請求項４８】
内刃駆動用のモータと異なる第２のモータを設けて、該モータを本体側の係止部の上下位置変更用動力源としていることを特徴とする請求項１８記載の電気かみそり。
【請求項４９】
内刃駆動用のモータと異なる第２のモータを設けて、該モータをラック部材とかみ合うギアの正逆回転駆動用の動力源としていることを特徴とする請求項３７記載の電気かみそり。
【請求項５０】
第２のモータに偏心カムを結合するとともに係止部を備える切換板に設けた係合穴に上記偏心カムを係合させていることを特徴とする請求項４８記載の電気かみそり。
【請求項５１】
枠状の刃フレームは前後両面に刃取付台の上端外側を覆う壁を備え、左右方向は刃取付台の突起部の内壁に覆われていることを特徴とする請求項２３記載の電気かみそり。
【請求項５２】
本体側の係止部はスライドフックに設けているとともに、このスライドフックを上下に駆動するための切換板に対してスライドフックを上下方向にフロート可能に連結していることを特徴とする請求２１項記載の電気かみそり。
【請求項５３】
スライドフックの刃フレームとの係止部と切換板は、丸ボスと長穴とのスライド可能な結合部によるフロート量規制部を備えていることを特徴とする請求項５２記載の電気かみそり。
【請求項５４】
スライドフックは複数ある刃フレームとの係止部と切換板との結合固定部との間に弾性脚部を備えた一部品で形成していることを特徴とする請求項５２または５３記載の電気かみそり。
【請求項５５】
切換板とスライドフックとの結合固定部が切換板の上下駆動部との連係部を兼ねていることを特徴とする請求項５２〜５４のいずれかの項に記載の電気かみそり。
【請求項５６】
上下駆動部材はダイヤル型の操作釦であり、本体の外側に配された上記操作釦はその内面側に操作釦の回転中心から偏心しているカム溝を備え、該カム溝に切換板が備えるカムフォロアが摺動自在に係合していることを特徴とする請求項３６または５５記載の電気かみそり。
【請求項５７】
偏心したカム溝は操作釦の回転中心を囲む無端環状であることを特徴とする請求項５６記載の電気かみそり。
【請求項５８】
偏心したカム溝の操作釦の回転中心からの距離が最小の部分を、刃ユニットの取付位置を最も低い位置にした際のカムフォロアの係合位置としていることを特徴とする請求項５６または５７記載の電気かみそり。
【請求項５９】
偏心したカム溝は曲率が漸次変化するものとして形成しているとともに、曲率の最小部分を刃ユニットの取付位置を最も低い位置にした際のカムフォロアの係合位置としていることを特徴とする請求項５６〜５８のいずれかの項に記載の電気かみそり。
【請求項６０】
操作釦に設けた凹部に係合してクリックを発生するクリック発生用のばねを備えるとともに、該クリック発生用のばねとして、刃ユニットの取付高さを固定するためのクリックばねと、このクリックばねによるクリックの間でさらに細かくクリック感を発生させる小クリックばねとを備えていることを特徴とする請求項４０または請求項５６記載の電気かみそり。
【請求項６１】
小クリックばねは対称形状の２本のばね部を備えて操作釦に対して対称に接触していることを特徴とする請求項６０記載の電気かみそり。
【請求項６２】
クリックばねが操作釦にばね力を与える方向と、小クリックばねが操作釦にばね力を与える方向とがほぼ直交していることを特徴とする請求項６０または６１記載の電気かみそり。
【発明の詳細な説明】
【０００１】
【発明の属する技術分野】
本発明は外刃を備えた刃ユニットが本体に対してフロート可能とされている電気かみそりに関するものである。
【０００２】
【従来の技術】
外刃がフロート可能に支持してされている電気かみそりは数多く実用化されている。これらの狙いとするところは、外刃に弾力性を付与することで肌の凹凸に対して柔らかく当てて肌当たりを良くすることと、肌と外刃との密着性を高めて剃り残しを少なくすることである。
【０００３】
しかしながら、従来の技術においては、内刃を押し上げて外刃内面に接触させるばねの力が１つの商品においては固定されているために、使用者それぞれの髭の濃さや剃り方、肌への押し付け方に対して最適値となっていないことが多い。このために、押し付け力が弱い人では、全くフロートしない状態で使われていたり、髭が特に濃くて押し付け力を非常に強くしている人では内刃押上力が弱いために内刃が下に逃げてしまって切れ味を悪くしている場合がある。
【０００４】
それぞれの人の特性に応じて刃の位置を調整できるようにするための技術としては、特許第２７２６４７６号に示された一例がある。これは、外側髭剃り部材を取付プレートに着脱自在に連結して、外側髭剃り部材と取付プレートの間隔を一定に保ったまま、取付プレートと一体に外側髭剃り部材をホルダに対して両軸線方向に調整自在としたもので、ホルダの上面と外側髭剃り部材の上面の位置関係を変化(x１→x２)させることにより、肌を押し当てたときにホルダの上面で肌を受けとめて、相対的に外側髭剃り部材と肌との接触圧を緩和し、肌が外側髭剃り部材の刃穴から侵入して内側髭剃り部材でこすられることで刺激が発生するのを防止することができるものとなっている。
【０００５】
しかしながら、この例では外側髭剃り部材だけでなく、ホルダの上面によっても肌を受け止めることができるようにするために、外側髭剃り部材の周囲のホルダ上面を外側髭剃り部材とほぼ同一面としなくてはならず、鼻下やもみあげの際部を剃ることができなくなってしまう。また、ホルダ全体の面積が大きいために、あご下等の凹部においては、ホルダの外側だけが肌に当たり、本来、肌にしっかりと当たるべき外側髭剃り部材が肌に密着しなくなってしまい、剃り残しが多くなってしまうという欠点を有している。
【０００６】
上記のような問題に対して、外刃とその周囲を取りまくホルダの位置関係を変えずに、ばね力だけを調整できるようにした構造としては、特許第２７２６４７７号や、特開昭６０-１７６６７９号公報に示されたものがある。
【０００７】
前者は外側髭剃り部材のフロートばね力を発生させるための弾性素子の剛性を調整できるようにしたものであるが、弾性素子の大きさが限られているために、調整できる範囲はあまり大きく取ることができず、使用者の使い方のばらつきに対しては非常に小さな調整となってしまう。
【０００８】
後者は内刃押上ばねの下点を移動可能にして、外刃に対する内刃の押上力を調整可能にしたものであるが、押上ばねの下点を上または下方向に移動させるための構造物が必ず摺動してしまう。このために無駄な負荷が発生して電源としての電池を消耗させてしまうほか、不快な騒音を発生させるという問題を有している。
【０００９】
外刃のフロートの下死点の位置を変えることにより、外刃のフロート量だけを調整可能にした例としては、特開昭６１−２１３０８５号公報に示されたものがある。この例では、ホルダーとハウジングを結合させる時の向きを変えることにより、外刃のフロートの下死点を変えることができるようにしている。しかしながら、このものにあってはフロート力や内刃押上力を変えることができないために、髭をカットする性能は変化せず、一定使用者の髭の濃さ、長さ、剃り方のばらつきに対応することは不可能である。
【００１０】
【発明が解決しようとする課題】
本発明は上記の問題点に鑑み為されたものであり、その目的とするところは、使用者の髭の濃さや髭の長さ、肌のデリケート度合い、肌への押付力のばらつきに対し、使用者が刃ユニットの高さを意図的に調整することにより、最適な外刃フロート力と内刃押上力に調整して、個々の使用者、使用状態において最適な髭剃り道具に設定できるようにすることである。また刃ユニットと刃フレームが一緒に上下動することにより外刃が下がった位置においても、外刃と周囲部の上下相対位置が変わらず鼻下やあご下の髭導入が悪くならない電気かみそりを提供することにある。
【００１１】
【課題を解決するための手段】
しかして本発明は、外刃を備えた刃ユニットと、上記刃ユニットをばね付勢に抗して沈み込み自在として上記刃ユニットのフロート支持を行う刃フレームと、上記外刃に摺接する内刃と、上記内刃を外刃に向けて付勢する押上ばねと、上記内刃の駆動源を内蔵する本体とからなり、上記刃ユニットは上記押上ばねによって上記内刃を介して上記本体に対しばね付勢されており、上記刃フレームは上記本体に対して上記刃ユニットのフロート方向である上下位置が可変となっていることに特徴を有している。刃ユニットをフロート自在に支持している刃フレームの位置変更によって、使用者が刃ユニットの高さを意図的に調整できるようにしたものである。押上ばねが内刃を介して外刃に与える力は刃フレームの位置変更によって変化するために、外刃フロート力と内刃押上力を個々の使用者や使用状態に合わせて調整することができるものであり、また、刃フレームの上下位置を変更する時、刃ユニットも一緒に上下動することにより外刃が下がった位置においても、外刃と周囲部の上下相対位置が変わらず、鼻下やあご下の髭導入が悪くならないようにすることができる。
【００１２】
【発明の実施の形態】
以下、本発明を図示の実施例に基づいて詳述すると、図１〜図１０は一例を示すもので、図において１は筒状の本体ハウジングで、内部にモータ２、蓄電池３およびモータ２の回転を偏芯軸４を介して受けて往復動に変換する駆動子５を搭載したシャーシ６を格納している。本体ハウジング１上部開口は刃取付台７で、本体ハウジング１下部開口は下カバー８で塞ぐ構造としている。本体ハウジング１の前面にはスイッチ９と、スイッチ９をスライド自在に本体ハウジング１に係止するためのスイッチ基台１０を備え、本体ハウジング１の背面にはトリマユニット１１をスライド自在に配設している。
【００１３】
刃取付台７の上部にはゴム押え板１２をねじ１３を用いて固定している。刃取付台７、ゴム押え板１２にはそれぞれ開口部があり、駆動子５の駆動部分がその開口部を貫通し、駆動子防水ゴム１４の内側Ｏリング部が駆動子５の防水シール部にはまり、駆動子防水ゴム１４の外周部が刃取付台７とゴム押え板１２にはさまれている。また刃取付台７と下カバー８は本体ハウジング１との合わせ面となる外周部とねじ穴部にゴムを一体成形したりＯリングを挟んで組み立てており、このために本体ハウジング１はその内部が防水構造となっている。
【００１４】
上記刃取付台７の両側にはヘッド部分の着脱機構部１５として、フレーム着脱釦１６とコイルばね１７をそれぞれ配設している。駆動子５の駆動部には内刃押上ばね１８を内刃取付け部の奥に配設してその弾力で常に外刃１９に対し内刃２０を押し付けることができるようにしており、また駆動子５の駆動部分の側面にはトリマ駆動杆２１を取り付けて、トリマユニット１１に駆動を伝達できるようにしている。
【００１５】
ヘッド部分は、可動部分としての刃ユニット２３及び刃フレーム３８と、連結枠２６を主体とする固定部分とからなるもので、外刃１９を枠状の内カセット２２に張設して刃ユニット２３を構成し、この刃ユニット２３を弾性脚でフロート自在に支持する外カセット２４と、外カセット２４が着脱できるよう内側面に係合部を設けた外刃フレーム２５とで刃フレーム３８を構成してある。また上記固定部分は、刃フレーム３８を本体に対して上下のフロート方向に位置を可変に取り付けるためのリング状の連結枠２６と、刃フレーム３８の高さを調整する切換レバー２７とからなる。
【００１６】
上記連結枠２６は、刃フレーム３８の上下位置変更範囲内で外刃フレーム２５の全周を覆うリング状の形状で、内側面には本体の刃取付台７のヘッド部着脱機構部に係合する固定部２８を備えて本体に対して着脱自在となっている。
【００１７】
外刃フレーム２５の高さを切り換える切換レバー２７は、内面側に外刃フレーム２５に勾配を設けて設置したガイド溝２９にスライド自在に嵌合するボス３０を備え、連結枠２６に外刃フレーム２５の可動方向と直交する向きにスライドするように固定している。切換レバー２７を左右にスライドさせれば、図１０に示すように、ボス３０が勾配を有するガイド溝２９内を移動するために、外刃フレーム２５が上下に移動するものであり、この結果、刃ユニット２３をフロート支持する外カセット２４と外刃フレーム２５とからなる刃フレーム３８の取付高さが可変となっているものであり、一方、内刃２０を備えた駆動子５はその上下位置が一定で、押上ばね１８によって内刃２０を上方に付勢しているだけであることから、図１中のＨの範囲の上記調整により、外刃１９のフロート力や内刃２０の押上力が最適値となるように調節することができるものである。
【００１８】
ここで、切換レバー２７は着脱される側の連結枠２６に設けて、可動する外刃フレーム２５に近い位置に配設しているために、外刃フレーム２５の高さ調節機構を簡単に構成することができる。
【００１９】
また、外刃フレーム２５よりも外側に連結枠２６があり、さらに外刃フレーム２５の上下位置変更範囲内で連結枠２６が外刃フレーム２５の全周を覆う形状としていることから、髭剃り時に切断された髭屑がこぼれにくく、また、連結枠２６が本体に対し着脱可能であるために、掃除を簡単に行うことができるものとなっている。
【００２０】
さらに、外刃フレーム２５の高さを切り換えることができるようにしているために、外刃フレーム２５と連結枠２６との間にガタが発生して、切れ味や騒音に悪影響がでる虞があるが、ここでは上下動する外刃フレーム２５に対し下側にある本体と外側にある連結枠２６は固定されており、外刃フレーム２５が下がった位置にあるときは、本体の刃取付台７の固定部の外側面が外刃フレーム２５の内側面に接してガタ止めを行い、また外刃フレーム２５が上がった位置にあるときは連結枠２６の固定部内側面が外刃フレーム２５の外側面に接してガタ止めを行うようにしている。一つの部品で上下２ヵ所のガタ止めを行うには、抜き勾配や寸法精度の問題で困難が生じるが、別の部品を用いることで上下のガタ止めを容易に行うことができるものである。
【００２１】
そして、内刃押上ばね１８の荷重を常に受けているために、外刃フレーム２５を引き下げる動作となる方向の切換レバー２７の操作力は、外刃フレーム２５を押し上げる方向の操作力よりも重くなってしまう。一方、外刃フレーム２５に設けたガイド溝２９の勾配は少なければ少ないほど外刃フレーム２５を引き下げる力を小さく設定することができる。一般的にスイッチの操作力は、オンオフ動作で操作力に差がない方が操作感触が優れるため、操作感触を良くするべく、ガイド溝２９の勾配を小さくできるようにスライドスイッチのスライド操作量は、外刃フレーム２５の上下移動量よりも大きくしている。
【００２２】
また、切換レバー２７と連結枠２６との間に弾性片を用いたクリック部３１を設けるとともに、外刃フレーム２５の上げ下げの操作力を略均一にできるように、外刃フレーム２５を引き下げるときのクリック荷重を外刃フレーム２５を押し上げるときのクリック荷重よりも小さく設定している。
【００２３】
ところで、外刃フレーム２５の高さ調節は切換レバー２７のボス３０で行うが、外刃フレーム２５を押し上げたり、引き下げたりする力が外刃フレーム２５の一部（前面）だけしか掛かっていないと、内刃押上ばね１８による上向きの荷重や、外刃フレーム２５と刃取付台７や連結枠２６との摺動抵抗により、外刃フレーム２５が傾いたり、高さ調整の動作がぎこちなかったりすることがある。このために、図１１に示すように、切換レバー２７のボス３０とスライド嵌合するガイド溝２９（もしくは切換レバー２７の動作に対応して動作する可動部品の嵌合部）を、外刃フレーム２５の前面だけでなく、反対側にも設けて、外刃フレーム２５の傾きを防いだり、外刃フレーム２５の上下動作をスムーズにできるようにすることも好ましい。
【００２４】
なお、上下移動する外刃フレーム２５の外側面と連結枠２６の内側面には図６に示すように、お互いが嵌合摺動するリブ３２と溝３３とを設けておく。リブ３２と溝３３の摺動により外刃フレーム２５は上下動作時に傾くことがないものである。図示例では外刃フレーム２５の両側面に逆Ｕ字状の溝３３を設けているが、溝３３を上下に貫通させずに片側を塞き止めているのは、連結枠２６に対し外刃フレーム２５の押込み方向のストッパーも兼ねるようにするためである。また、斜め後部には外刃フレーム２５にフック３５を設け、連結枠２６に溝と堰からなる係止部２６ａを設けて、フック３５に係止する係止部２６ａを外刃フレーム２５の抜け止め用のストッパーとしている。上下両方向のストッパーを設けているわけである。
【００２５】
また、前記した外刃フレーム２５のフック３５に対応する連結枠２６の溝には凸部によるクリックを設けることも好ましい。この場合、外刃フレーム２５が上下移動する際、適正な位置で外刃フレーム２５を係止させることができる。また前面のスライドスイッチ２７のボス３０が外刃フレーム２５を上下させる関係上、刃フレーム２５の後側の位置決めが不十分であるが、外刃フレーム２５の斜め後方部のフック３５を位置決めとして使うことにより、後側の位置決めにもなり、外刃１９の傾きを防ぐことができる。
【００２６】
前記した外刃フレーム２５の溝３３は上下方向に貫通せず下面が開口していることで、連結枠２６に対し上側から組み立てることができる。しかし、抜け止めストッパーとなるフック３５があることから、フック部には組立時に柔軟性が必要になる。このために、外刃フレーム２５は柔軟な材料で形成し、ヘッド部の着脱の際に、握られる頻度の高い連結枠２６を固い材料で形成することにより、組立性と剛性とを両立させることができる。
【００２７】
ところで、外刃フレーム２５が上下動する場合、トリマユニット１１に駆動力を伝達するトリマ駆動杆２１がスペース的な障害となって、刃ユニット２３のフロートや外刃フレーム２５の動作が制限されることがあるが、図５に示すように、ここではトリマ駆動杆２１をその中間部に逃げ穴を備えたものとして、刃ユニット２３や外刃フレーム２５との干渉を最小限にできるようにしている。
【００２８】
また、刃の保護のための保護キャップ３７（図６及び図８参照）は、上下動する刃フレーム３８に設けた保持部に着脱できるようにしておく。外刃フレーム２５が上下方向に高さ調整できる電気かみそりにおいて、保護キャップ３７が本体ケースなどの固定部に取り付ける場合は、外刃フレーム２５が下がった位置にある時、保護キャップ３７と外刃１９の距離が開きすぎてしまい、落下等の衝撃に対する保護が不十分になったり、大きく開いてしまうすき間から髭屑がこぼれる問題があるが、上下動する刃フレーム３８で保護キャップ３７を保持することにより、保護キャップ３７と外刃の距離を常に一定にすることができる。
【００２９】
図１２〜図１９に他例を示す。図中１０１は筒状の本体ハウジングであり、内部に蓄電池１０２及びリニアモータ１０３、そして電池１０２とリニアモータ１０３と回路基板１２６を保持する基台１０５を格納している。リニアモータ１０３はその上部に駆動力を内刃１０４に伝達する駆動子１１２を備えている。本体ハウジング１０１の上側開口は刃取付台１０６で、下側開口は下カバー１０７で塞ぐ。図１６中の１４１は下カバー１０７の固定ねじである。
【００３０】
刃取付台１０６の上部にはゴム押え板１１１をねじを用いて固定している。刃取付台１０６、ゴム押え板１１１にはそれぞれ開口部があり、リニアモータ１０３の駆動子１１２がその開口部を貫通し、駆動子防水ゴム１１３の内側Ｏリング部１４８が駆動子１１２の防水シール部１４９に嵌合し、駆動子防水ゴム１１３の外周部１５０が刃取付台１０６とゴム押え板１１１に挟まれている。
【００３１】
また刃取付台１０６とハウジング１０１はその中間部でＯリング１２８を挟んで、また上側では前面パネル１２９と上リング１２７を挟んで固定される。下カバー１０７は本体ハウジング１０１との合わせ面となる外周部とねじ穴部にゴムを一体成形したりＯリングを挟んで組み立てることにより本体ハウジング１０１内部を防水としている。
【００３２】
本体ハウジング１０１の前面にはスイッチ１０８と、スイッチ１０８をスライド自在に本体ハウジング１０１に係止するためのスイッチ基台１０９を備え、本体ハウジング１０１の背面にはトリマユニット１１０をスライド自在に配設している。
【００３３】
駆動子１１２には内刃押上ばね１１３をばね止め部材１４０とともに配設しており、内刃押上ばね１１３の弾力で常に外刃１１４に対し内刃１０４を押し付けている。また駆動子１１２の駆動部分の側面にはトリマ駆動杆１１５とスリット刃駆動杆１５１とを取り付けて、それぞれトリマユニット１１０と後述するスリット刃に駆動を伝達できるようにしている。
【００３４】
ヘッド部は、図１５に示すように、前後２つのネット刃ユニット１１７と、中央のスリット刃ユニットと、これらの刃ユニットをフロート自在に支持する刃フレーム１１８とからなるもので、刃フレーム１１８は、本体と着脱自在な係合のための係合フック１２０を長手方向両端２カ所に備えている。図中１１８は着脱釦である。
【００３５】
ネット刃ユニット１１７は、外刃１１４をヒートシール固定した内カセット１１６にネットカバー１４２を取り付けたものとして形成されており、刃フレーム１１８のフロート方向の係合溝１６５とネットカバー１４２のリブ１６６が係合することにより、フロート自在に保持される。
【００３６】
スリット刃ユニットは、スリット外刃１４４、スリット内刃１５２、スリット継手１４３、スリット押上ばね１４５、スリット保持部材１４６からなり、スリット保持部材１４６に設けたフック部１６８と刃フレーム１１８内面に設けた突起部１６７が係合し、スリット押上ばね１４５により上方に付勢された状態で、スリットフロートばね１４７を介して、刃フレーム１１８にフロート自在に保持される。
【００３７】
本体側の刃取付台１０６の下部外周と本体ハウジング１０１の内周とに囲まれた位置に、切換板１２１を上下方向に移動可能に配設している。この切換板１２１は、略コの字形状をしたもので、その端部は上方に突出した突起部１６９となっていて、該突起部１６９は刃取付台１０６に設けられた穴部１７０を貫通して上面から突出している上記突起部１６９の上端には、刃フレーム１１８の係合フック１２０と係合するための係止穴１２２を備えている。上記穴部１７０には、髭くずの侵入を防止するためのゴム等の弾性体で構成されるリング１３３が取り付けられている。
【００３８】
切換板１２１の前面部には、その中央付近にラック部材１３６の係合突起１７２とがかしめ結合される係合穴１７１が設けられており、切換板１２１の前面に上記かしめ結合で固定されたラック部材１３６は、その左右両側にラック溝を備えて、左側のラック溝には減速ギア１３５がかみ合い、右側のラック溝にはカムレバー１３８がかみ合っている。
【００３９】
減速ギア１３５は共にギア歯が形成された小径部１７３と大径部１７４とが同じ厚みの中で構成される部分歯車となっており、刃取付台１０６から突設した軸１７６に小径部１７３の中心の係合穴１７５が回転自在に係合する減速ギア１３５は、小径部１７３のギアをラック部材１３６とかみ合わせ、大径部１７４のギアを操作ギア１３１とかみ合わせる。
【００４０】
操作ギア１３１は操作釦１３０に取り付けられてハウジング１０１前面と上側パネルの凹部１７７，１７８により構成される円形穴に位置決めされた状態でハウジング１０１に対して回転自在に保持されて、操作釦１３０と一体的に回転するもので、操作釦１３０を回転させれば、操作ギア１３１と減速ギア１３５とを介して、ラック部材１３６が固定された切換板１２１が上下に移動するものであり、刃フレーム１１８は切換板１２１に取り付けられていることから、この時、刃フレーム１１８も刃ユニットごと図１９に示すように、図中Ｈの範囲内で上下に移動するものである。
【００４１】
ここにおいて、刃取付台１０６には上側の左右両端部に刃フレーム１１８の外周面に沿う形状の突起部１２３を設けているとともに、突起部１２３間に縦方向の切り欠き１７９を備えており、左右前後総計４本の突起１２３と、切り欠き１７９に刃フレーム１１８の突部１１８ｂを上下位置変更範囲内で挟み込むことにより、刃フレーム１１８の内刃１０４の往復方向のガタと本体の前後方向のガタを抑えている。
【００４２】
また、本体に対し刃フレーム１１８は上下方向に移動するが、刃フレーム１１８の外周壁と刃取付台１０６の上面の外周壁とは刃フレーム１１８がどの高さにあってもお互いに全周で重なり合うようにしてある。外刃と内刃で切断した髭屑は刃取付台１０６の上の面に溜まり、刃フレーム１１８の外周壁が刃取付台１０６の上面に重なっていない場合は刃フレーム１１８の取付位置が上の位置にあるときに刃フレーム１１８と刃取付台１０６の上面との間に隙間が生じて髭屑がこぼれおちてしまうことになるが、これを防ぐことができるものである。
【００４３】
もっとも、刃フレーム１１８に設けた上記外周壁はトリマユニット１１０が付いている電気かみそりの場合、トリマ駆動杆１１５に干渉して障害となることがある。このために、ここでは刃フレーム１１８の外周壁の一部に切り欠き１２４を設けて干渉を避けており、さらにトリマ駆動杆１１５には駆動動作時にも全幅で刃フレーム１１８の外周壁に重なり、また、刃フレーム１１８の上下方向の動作時にも高さ方向において刃フレーム１１８の外周壁に重なり合う薄肉の縦壁１２５を設けて、切り欠き１２４からの髭屑のこぼれを防止している。
【００４４】
切換板１２１等の部品を刃取付台１０６の外周壁の外側に配置し、本体ハウジング１０１は上側を２重構造にして内側の壁で刃取付台１０６の外周壁下部に設けた防水シール部と組み合わせ、内側の壁と外側の壁の間にスイッチ機構部などの部品を配置しているのは、本体ハウジング１０１内部の防水構造を保つためである。
【００４５】
また、切換板１２１は刃フレーム１１８との係止部のみが刃取付台１０６の上面に設けた穴１７０から突出し、それ以外の部分は本体ハウジング１０１の内周壁と刃取付台１０６の外周壁に挟まれる半リング状の略コの字形状としているのであるが、このようにすることで、本体ハウジング１０１内に納めたリニアモーター１０３や駆動部に干渉すること無く前面から係止部のある側面部まで部品を一部品化することができ、本体ハウジング１０１の内周壁と刃取付台１０６の外周壁に挟まれることでどちらかの部品の壁に沿うことになって切換板１２１の上下動の動作時にガタつきなくスライドさせることができるものとなっている。
【００４６】
さらに、刃取付台１０６の上記穴１７０は前記した４本の突起１２３のうち前後の突起１２３の内周側の間に設けており、切換板１２１の突起部１６９を貫通させた上でゴム状の弾性体１３３で栓をするものとしてある。髭屑が切換板１２１の周囲に入ってスライド動作を妨げるのを防ぐだけでなく、刃取付台１０６の穴１７０の位置を刃フレーム１１８のガタ止めのための突起１２３の近傍に設けることと併せて、切換板１２１の突起部１６９のガタ止めの効果を得ているものである。
【００４７】
同様に、本体ハウジング１０１の内壁と刃取付台１０６の外壁とに挟まれた切換板１２１の前面部に、切換板１２１を上下にスライド動作させるための駆動結合部を設けているのも、切換板１２１が傾くこと無くスムーズにスライド動作を行なうようにするためである。
【００４８】
切換板１２１を上下方向にスライドさせる為の機構として、上述のように、内面にギア１３１を備えた回転式の操作釦１３０を本体ハウジング１０１の外側に回転自在に配置し、切換板１２１の前面にラック部材１３６を形成、もしくはラック部材１３６を結合し、さらにこのラック部材１３６と操作釦１３０の内面側にある操作ギア１３１との間に減速ギア１３５を介在させたものを用いて、操作釦１３０を回せば切換板１２１が上下方向にスライドするようにしているが、減速ギア１３５を介在させているのは、操作部の操作力を小さくするためであり、また、操作ギア１３１より径の大きい回転式の操作釦１３０を用いていることもあって、少ない操作力で刃フレーム１１８を上下させることができる。また、減速ギア１３５として、大径部１７４と小径部１７３が同じ厚みの中にある部分歯車を用いているのは、その厚みを小さくするためである。
【００４９】
本体ハウジング１０１の前面に設けた凹部１８０にはクリックばね１３２を配置して、クリックばね１３２の突起１８１を操作釦１３０の裏側の凹部１８２に係合させることで、操作釦１３０の回転動作にクリック性を与えて、操作釦１３０の位置決め及び外刃取付高さの位置決めとしている。なお、図２０に示すように、操作ギア１３１にクリックばね１５３を係合させても同様の効果が得ることができる。
【００５０】
ラック部材１３６の右側に設けた前記カムレバー１３８は、Ｏリング１３４を介して刃取付台１０６の前面の穴１８３に回転自在に係合しているもので、その軸部の先端には係合リブ１８４を備えて、本体ハウジング１０１内に配置してあるスイッチカム１３７の溝１８５に係合リブ１８４を係合させている。
【００５１】
上記スイッチカム１３７は、溝１８５の裏側に設けた軸部１８６をリニアモータ１０３の前面の穴１８７に回転自在に係合させたもので、その右側部に設けた長溝穴１８８を切替バー１３９の突起部１８９に回転自在に結合させている。
【００５２】
切替バー１３９は、その上端部がリニアモータ１０３の上部の係合溝１９０と係合するとともに、裏側の突起部１９１がリニアモータ１０３前面の係合穴１９２に係合することでリニアモータ１０３に対して上下動自在に保持されている。このために、ラック部材１３６が移動すると、カムレバー１３８、スイッチカム１３７を介して、切替バー１３９も上下に移動する。そして、切替バー１３９の下端部はその上下動により回路基板１２６に設けた切替スイッチをオンオフするようにしてあることから、外刃の上下動に連動して駆動の制御を行ったり、切替位置をランプや液晶で表示させたりすることができる。
【００５３】
図２１及び図２２に示すように、回転式の操作釦１３０の表面外周部にスライド自在なロック釦１５２を配設し、ハウジング１０１あるいは前面パネル１２９側には外刃１１４の位置決めの場所に応じてロック釦１５２を係合させる凹部１９４を設けることで、ロックさせることができるようにしてもよい。外刃１１４の位置決めを確実に行なうことができ、不用意に外刃１１４の高さが変わってしまうことを防ぐことができる
図２３は、切換板１２１を上下方向にスライドさせる為の回転式の操作釦１５４を本体ハウジング１０１の内部に配置して、操作釦１５４の外周部の一部をハウジングの側面に設けた穴１９５から外部に露出させたものを示している。回転式の操作釦１５４の外周部側面を回すようにしたことで、正面にある操作釦１３０を回すよりも操作性を良くすることができる上に、髭を剃っている間に不用意に操作釦１５４に指が触れてしまうのを防止することができる。
【００５４】
図２４は切換板１２１に両サイドの係止用突起部１６９に加えて、前面から突出する突起片１９６を設け、その先端を刃取付台１０６の上面に設けた開口部１９７から上方に突出させて、刃フレーム１１８の下面を常に支持するようにしたものを示している。この場合、刃フレーム１１８が本体に対して前後回転方向にガタ付くことを防ぐことができる。
【００５５】
図２５は切換板１２１を上下動させるための別の機構を示しており、ここでは刃取付台１０６に回転自在に支持されて切換板１２１の前面に設けたラック部材１３６に係合させるギア１５８の外側には中心軸からずらして突起部１９８を設けている。また、外刃１１４の上下移動方向と直交する方向のスライド釦１５５を本体ハウジング１０１の正面部に設けた前面パネル１２９にスライド自在に設けて、スライド釦１５５の裏面に上記ギア１５８の突起１９８に対して上下方向ではスライド自在に且つ左右方向では係合する凹部１９９を備えた連結板１５７を取り付けている。スライド釦１５５及び連結板１５７のスライド動作によってギア１５８が回転し、ラック部材１３６を介して切換板１２１が上下動して外刃１１４の位置を変える。
【００５６】
図２６はさらに他例を示しており、外刃１１４の上下移動方向と直交する方向のスライド釦１５５を本体ハウジング１０１の正面部２００にフック部２０３とハウジングの溝２０４の結合によりスライド自在に配設し、スライド釦１５５の裏面から突出させたボス２０２を切換板１２１の前部に勾配を設けて設置したガイド溝２０１にスライド嵌合させている。スライド釦１５５のスライド動作で切換板１２１が上下動して外刃１０４の位置を変える。この場合、切換板１２１を上下動させるための部品の点数を少なくすることができる。
【００５７】
図２７に示すように、刃取付台１０６から突出するボス１７６が中央穴２０５に係合して回転自在となっているリンク１６１を切換板１２１に連結するとともに、リンク１６１に設けた突起２０６を図２５に示したものと同様のスライド釦１５５の連結板１５７に連結して、スライド釦１５５を左右に動かせば、リンク１６１が切換板１２１を上下に動かすようにしてもよい。この場合にも部品点数を少なくすることができる。
【００５８】
なお、内刃１０４の押上力に抗して外刃１０４（刃フレーム１１８）を手動で下げるには結構大きな力を必要とする上に、外刃１０４の位置を上げる場合と下げる場合とで操作力が変わってしまうのは好ましいものではない。このために、図２８に示すように、内刃１０４の駆動用とは別のモータを設けて、通電スイッチのオンオフ操作のみで外刃１０４の上げ下げを行なうようにしてもよいものである。
【００５９】
図２８はこの電動で外刃１０４を上下させる場合の一例を示しており、基台１０５の穴部２０８に固定しているモータ１６２の軸に減速器１６３を介してギア１３１を結合し、該ギア１３１を減速ギア１３５を介して切換板１２１に設けたラック部材１３６に係合させている。そして本体にはモータ１６２の回転方向を正逆両方向に操作できるスイッチ２０７を設けて、スイッチ２０７の操作でモータ１６２の動力により外刃１０４の上下位置調整をできるようにしている。
【００６０】
図２９に示すように、中心軸から偏芯した円柱状の嵌合部２０９を持つ偏芯カム１６４をモータ１６２の減速器１６３に結合させて、偏心カム１６４を切換板１２１の前面に設けた穴２１０に係合させてもよい。この場合、モータ１６２の回転方向を正転のみ操作できるスイッチ２１１を設けておく。モータ１６２の回転で偏心カム１６４を回転させれば、その偏心によって切換板１２１を上下動させることができる。偏芯カム１６４を使用しているために、モータ１６２の回転方向は一方向だけですみ、正逆転自在なモータを用いなくてもすむ上にスイッチ２１１も単なるオンオフのものですむ。
【００６１】
図３０〜図３６に別の例を示す。本体ハウジング１０１の前面には前面パネル１２９の開口部を貫通したプッシュタイプのスイッチ２０８とダイヤル型の操作釦１３０を配しており、本体ハウジング１０１の背面にはトリマユニット１１０をスライド自在に配設している。
【００６２】
ヘッド部は前述のものと同じく、前後２つのネット刃ユニット１１７と、中央のスリット刃１４４とこれらの刃ユニットをフロート自在に支持する刃フレーム１１８とからなるもので、刃フレーム１１８は、本体と着脱自在な係合のための係合部１２０を長手方向両端２ケ所に備えている。
【００６３】
ここでの刃取付台１０６は、上下２部材１０６ａ，１０６ｂで構成しており、駆動子防水ゴム１１３は刃取付台１０６ａとこの刃取付台１０６ａの上端にビス止め固定される刃取付台１０６ｂとで挟んでいる。刃取付台１０６ｂ上側の左右両端部には刃フレーム１１８の外周面に沿う形状の突起部２２３を設けている。突起部２２３間には縦方向の切り欠き２７９を備えており、左右前後総計４本の突起２２３の前後の突起の間には開口穴２７０を設けてある。
【００６４】
一方、枠状の刃フレーム１１８の前後両面には刃取付台１０６ｂの上端外側を覆う形状の壁２１９を設けてある。この壁２１９の大きさは、刃ユニットの高さ調整時の上下方向の動作時にも高さ方向において刃取付台１０６ｂの上端外側に重なり合う大きさとして、使用時の髭くずのこぼれ防止としている。また、髭くず掃除の際には刃ユニットを取り外して掃除をするが、刃取付台１０６ｂの前後の上端面には壁や段差がないために容易に髭くずを掃き出すことができる。
【００６５】
本体側の刃取付台１０６ａの下部外周と前面パネル１２９の内周とに囲まれた位置に、略コ字形をした切換板１２１を上下方向に移動自在に配設してある。この切換板１２１は、その中央部に設けた穴２３２に丸ボス２３３を係合させているとともに、その両端部に設けた上下方向に長いトラック形状の長穴２２４にフロート用丸ボス２３０をスライド自在に係合させたスライドフック２２５に連結されており、さらに刃取付台１０６ｂの開口穴２７０を貫通して刃取付台１０６ｂの上面に突出する係止フック２３１を備えているスライドフック２２５は、その両端の係止フック２３１を刃フレーム１１８の係合部２２０に係合させていることから、切換板１２１を上下動させる時、スライドフック２３１を介して刃フレーム１１８を上下動させる。
【００６６】
ただし、スライドフック２２５は丸ボス２３３を備える中央部と係止フック２３１，２３１を備える両端部との間に弾性脚部２３４，２３４を備えており、また切換板１２１とスライドフック２２５との両端における係合部は長穴２２４と丸ボス２３０との上下スライド自在な係合となっていることから、切換板１２１の上下動に対して、刃フレーム１１８は上記弾性脚部２３４の弾性を介して追従することになる。
【００６７】
従って、本体落下等の際に係止フック２３１そのものや、後述する高さ切換機構部に衝撃がダイレクトに加わることがないものである。また、係止フック２３１のフック構造においても、過大な負荷が刃ユニットにかかった際には、刃と本体とのフック係合が外れるように、係止フック２３１側のフック形状を若干の勾配を有しているものとしている。なお、長穴２２４と丸ボス２３０とのスライド係合部を設けていることから、切換板１２１に対するスライドフック２２５の上下フロート動は、長穴２２４の範囲だけとなっており、フロート量の規制がなされていると同時に、係止フック２３１の抜け止めや落ち込み防止がなされていることになる。
【００６８】
ここで、スライドフック２２５を係止フック２３１と連結固定用の丸ボス２３３と弾性脚部２３４を備えた一部品としていることにより、少ない部品点数で切換板１２１と刃フレーム１１８との間のフロート性を有している連結を行うことができるものとなっており、良好な組立性を有するものとなっている。
【００６９】
次に、上記切換板１２１を上下動させるための操作機構部であるが、ここでは切換板１２１とスライドフック２２５の固定接続を行っている丸ボス２３３をカムフォロアとし、ダイヤル型操作釦１３０に設けた偏心しているカム溝２５４で上記カムフォロアを駆動する形態とすることで、上記丸ボス２３３に切換板１２１とスライドフック２２５との接続固定だけでなく、刃ユニットの上下動機構の役も担わせている。
【００７０】
すなわち、ここでは内面側にカム溝２５４を設けたダイヤル型の操作釦１３０を前面パネル１２９の開口穴を介して刃取付台１０６ａの軸部１６０に回転自在に装着してある。上記カム溝２５４は、図３５に示すように、操作釦１３０の回転中心に対して偏心した無端環状の円形のもので、該カム溝２５４にカムフォロアである丸ボス２３３を摺動自在に係合させている切換板１２１及びスライドフック２２５は、操作釦１３０の回転に伴い、図３６に示すように、カム溝２５４の偏心量に応じた分をストロークとする上下動を刃フレーム１１８に行わせて、刃ユニットの高さ位置を変更する。この時、切換板１２１はコ字形であって刃取付台１０６ａを前面及び両サイドから挟みこんでいることから、左右方向への動作が規制されており、上下の動きのみが可能となっている。
【００７１】
なお、カム溝２５４は図３７に示すような円弧状のものであってもよいが、回転中心を囲む無端環状に形成した場合、操作釦１３０の回転操作範囲について制限がなくなり、操作釦１３０の一方向への回転操作で刃ユニットの取り付け高さを上げたり下げたりすることができることになり、操作性がよくなる。
【００７２】
また、カム溝２５４への丸ボス２３３の係合箇所は、刃ユニットの取付高さを最も低くした時、カム溝２５４における回転中心からの距離がもっとも小さくなるところに丸ボス２３３が係合するようにしておくのが好ましい。操作釦１３０はその外周部に対して操作を加えることになるために、カムフォロアとなる丸ボス２３３は、操作釦１３０の回転中心に近いところに位置するほど操作力を小さくすることができる上に、外刃１１４に対して内刃１０４を押し上げるばねの反力により、刃ユニットの高さが低い時ほどさらに引き下げる方向の操作力が大きくなるからであり、上記配置とすることで、刃ユニット高さを引き下げる操作力を少なくすることができる。
【００７３】
このほか、図３８に示すように、操作釦１３０裏面の偏心したカム溝２５４を曲率が漸次変化するものとして形成するとともに、刃ユニットの取付高さを最も低くした時に丸ボス２３３が係合する箇所を、カム溝２５４における回転中心からの距離がもっとも小さく且つ曲率が最小となる部分に設定するのも好ましい。曲率が小さければ単位角度あたりの回転中心からの距離の変化量が小さくなるために、刃ユニット高さを引き下げるための操作力を少なくすることができる。
【００７４】
ダイヤル型の操作釦１３０の外周部に設けたクリック凹部２５６は、本体ハウジング１０１の前面に取り付けたクリックばね２５５が係合することで、刃を所定高さにセットした時にクリックが生じるようにしているものである。また、操作釦１３０の背面外周部にはそのほぼ全周にわたって小さなクリック用凹凸２６０を設けて、やはり本体ハウジング１０１の前面に取り付けたばね部材２５８における一対の小クリックばね部２５９，２５９が凹凸２６０にクリック係合するようにしてある。
【００７５】
操作釦１３０の回転操作に際し、クリックばね２５５とクリック凹部２５６とによって所定間隔毎にクリックが生じるが、ほぼ９０°間隔となっているクリックとクリックの間の操作感触を向上させるために、クリック用凹凸２６０と小クリックばね部２５９とを設けて、操作釦１３０の回転操作に際して小さなクリック感が連続的に生じるようにしているものである。
【００７６】
ここで、小クリックばね部２５９，２５９２を対称形状とするとともに操作釦１３０に対して対称に配置しているのは、操作釦１３０のいずれの方向の回転についても同等の操作感が得られるようにするためである。
【００７７】
また、クリックばね２５５はそのばね力を操作釦１３０の外周側から内周側へ、小クリックばね部２５９は操作釦１３０の背面側から前面側へそのばね力を加えるようにしている。操作釦１３０は回転部品であることから、刃取付台１０６ａへの取り付けに際して、刃取付台１０６ａとの間にクリアランスをもたせてやらねばならないが、２種類のクリック付与のための２種のばね２５５，２５９による付勢方向を異ならせて、クリアランスに対し軸方向及び軸と直交する方向の両方において操作釦１３０を片側に押し付けているために、操作釦１３０のがたつき、殊に振動を伴う髭剃り時のがたつきを防ぐことができる。
【００７８】
【発明の効果】
以上のように本発明においては、刃ユニットをフロート自在に支持している刃フレームを刃ユニットのフロート方向において本体に対して位置変更できるようにして、使用者が刃ユニットの高さを意図的に調整できるようにしたことから、使用者の髭の濃さや髭の長さ、肌のデリケート度合い、肌への押付力のばらつきに対し、最適な外刃フロート力と内刃押上力に調整して、個々の使用者、使用状態において最適な髭剃り道具に設定できるものであり、また、刃フレームの上下位置を変更する時、刃ユニットも一緒に上下動することで、外刃が下がった位置においても外刃と周囲部の上下相対位置が変わらず鼻下やあご下の髭導入が悪くならないようにすることができるものである。
【図面の簡単な説明】
【図１】本発明の実施の形態の一例における動作説明図である。
【図２】同上の正面図である。
【図３】同上の側面図である。
【図４】同上の本体部分の分解斜視図である。
【図５】同上の本体部分の分解斜視図である。
【図６】同上のヘッド側の分解斜視図である。
【図７】同上の切換レバーの斜視図である。
【図８】同上の縦断面図である。
【図９】同上の横断面図である。
【図１０】  (a)(b)同上の切換レバーの操作に伴う動作を示す説明図である。
【図１１】同上の他例の部分縦断面図である。
【図１２】他の実施の形態の一例の正面図である。
【図１３】同上の部分横断面図である。
【図１４】同上の部分縦断面図である。
【図１５】同上のヘッド部の分解斜視図である。
【図１６】同上の本体側の分解斜視図である。
【図１７】同上の本体側の分解斜視図である。
【図１８】同上の分解斜視図である。
【図１９】同上の動作説明図である。
【図２０】同上の他例の分解斜視図である。
【図２１】同上のさらに他例の正面図である。
【図２２】同上の分解斜視図である。
【図２３】同上の別の例の分解斜視図である。
【図２４】同上のさらに別の例の分解斜視図である。
【図２５】同上の他の例の分解斜視図である。
【図２６】同上のさらに他の例の分解斜視図である。
【図２７】同上の異なる例の分解斜視図である。
【図２８】同上の電動式とした場合の一例の分解斜視図である。
【図２９】同上の他例の分解斜視図である。
【図３０】別の例の正面図である。
【図３１】同上の縦断面図である。
【図３２】同上の横断面図である。
【図３３】同上の分解斜視図である。
【図３４】同上の分解斜視図である。
【図３５】同上の操作釦のカム溝形状の一例を示す背面図である。
【図３６】同上の動作を示す説明図である。
【図３７】同上の操作釦のカム溝形状の他例を示す背面図である。
【図３８】同上の操作釦のカム溝形状のさらに他例を示す背面図である。
【符号の説明】
１  本体
１８  押上ばね
２３  刃ユニット
３８  刃フレーム
【図１】
0004348836.tif 000002
【図２】
0004348836.tif 000003
【図３】
0004348836.tif 000004
【図４】
0004348836.tif 000005
【図５】
0004348836.tif 000006
【図６】
0004348836.tif 000007
【図７】
0004348836.tif 000008
【図８】
0004348836.tif 000009
【図９】
0004348836.tif 000010
【図１０】
0004348836.tif 000011
【図１１】
0004348836.tif 000012
【図１２】
0004348836.tif 000013
【図１３】
0004348836.tif 000014
【図１４】
0004348836.tif 000015
【図１５】
0004348836.tif 000016
【図１６】
0004348836.tif 000017
【図１７】
0004348836.tif 000018
【図１８】
0004348836.tif 000019
【図１９】
0004348836.tif 000020
【図２０】
0004348836.tif 000021
【図２１】
0004348836.tif 000022
【図２２】
0004348836.tif 000023
【図２３】
0004348836.tif 000024
【図２４】
0004348836.tif 000025
【図２５】
0004348836.tif 000026
【図２６】
0004348836.tif 000027
【図２７】
0004348836.tif 000028
【図２８】
0004348836.tif 000029
【図２９】
0004348836.tif 000030
【図３０】
0004348836.tif 000031
【図３１】
0004348836.tif 000032
【図３２】
0004348836.tif 000033
【図３３】
0004348836.tif 000034
【図３４】
0004348836.tif 000035
【図３５】
0004348836.tif 000036
【図３６】
0004348836.tif 000037
【図３７】
0004348836.tif 000038
【図３８】
0004348836.tif 000039